【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
ビットバスおよびフィールドバスを有する集積された診断装置を備えた分散された動作システムにおいて、
フィールド動作特性を生成するフィールド装置と、
前記フィールド装置からフィールド動作特性を受信し、フィールド診断コンポーネントと、ビットバスによって通信するように構成されたフィールド通信コンポーネントとを含んでおり、フィールド動作特性の関数としてフィールド診断パラメータを含むフィールド動作データを生成するように構成されているフィールド処理モジュールと、
ビットバスと通信し、フィールド動作データを受信するように構成されており、補助診断コンポーネントと、フィールドバスインターフェースを有する補助通信コンポーネントと、ゲートウェイコンポーネントとを含んでおり、フィールド動作データの関数として補助フィールドデータを生成し、その補助フィールドデータをフィールドバスによって通信するように構成されている補助処理モジュールとを具備しているシステム。
【請求項２】
前記フィールド動作特性は、抵抗、電流、電圧、ホール効果電圧、エネルギ、質量、電力を含むパワー、キャパシタンス、インダクタンス、リラクタンス、位相、タイミング、周波数、時間、モード、状況、故障、位置、警報、警告、比較、状態、磁気強度、データ、およびパラメータからなるグループから選択されている請求項１記載のシステム。
【請求項３】
前記フィールド装置は、温度センサ、圧力センサ、流量センサ、レベルセンサ、力センサ、漏洩検出センサ、応力センサ、運動センサ、位置センサ、電圧センサ、電流センサ、化学特性センサ、アクチュエイタ、漏洩センサ、加速度計、速度計、バルブポジショナ、バルブ位置センサ、ＲＦＩＤタグ、スマートカード、圧力ゲージを含むゲージ、ソレノイド、電源、ヒータ、ソレノイドバルブを含むバルブ、計器、モータ、ポンプ、熱スイッチを含むスイッチ、ホール効果センサ、磁気強度センサ、ガスセンサ、溶断可能なリンク、ＲＦＩＤタグ、スマートカード、およびメモリ装置からなるグループから選択されている請求項１記載のシステム。
【請求項４】
前記フィールド動作特性は感知された温度の指示であり、前記フィールド装置は、熱電対、抵抗温度検出器（ＲＴＤ）、サーモパイル、ダイオード、半導体センサ、共振温度センサ、赤外線センサ、およびサーミスタからなるグループから選択された温度センサである請求項１記載のシステム。
【請求項５】
前記フィールド処理モジュールはフィールド動作特性の関数として前記フィールド装置の熱特性を決定するように構成されている請求項１記載のシステム。
【請求項６】
前記フィールド装置はバーコードフォーマット、無線周波数識別フォーマット、データマトリックス、およびスマートカードフォーマットの少なくとも１つで符号化されているフィールド動作特性を生成するように構成されている請求項１記載のシステム。
【請求項７】
前記フィールド処理モジュールはフィールド動作事象に応答してフィールド動作データを生成し、前記フィールド動作事象は、状態の変化、モードの変化、状況の変化、故障、フィールドパラメータの変化、フィールド動作特性の変化、温度特性の変化の時間レート（１次導関数）、しきい値を超えるフィールドパラメータの値、警報、比較、警告、およびしきい値を超えるフィールド動作特性の値からなるグループから選択されている請求項１記載のシステム。
【請求項８】
前記フィールド処理モジュールは１以上のフィールド管理パラメータを記憶するためのフィールドメモリを含んでおり、前記メモリは２つの関連されたフィールド管理パラメータを含んでおり、前記フィールド管理パラメータの少なくとも一方はフィールド診断パラメータであり、前記メモリは受信されたフィールド動作特性を記憶するように構成されている請求項１記載のシステム。
【請求項９】
前記フィールド診断コンポーネントは、アルゴリズム、プログラム、人工インテリジェンスモジュール、モデル化モジュール、マッピング、グラフィック解析、ルール、比較器、および検索表の少なくとも１つを含んでいる請求項１記載のシステム。
【請求項１０】
前記フィールド診断コンポーネントは、神経ネットワーク、実験的データ、数値データ、検索表、ファジー論理回路、神経ファジー回路、多項式アルゴリズム、残留寿命アルゴリズム、人工インテリジェンスモジュール、ウェイブレット、モデル化モジュール、および統計機能からなるグループから選択されたアルゴリズムを含んでいる請求項１記載のシステム。
【請求項１１】
前記フィールド診断パラメータは、動作診断、装置較正、システム管理、およびシステム動作からなるグループから選択されている請求項１記載のシステム。
【請求項１２】
前記フィールド診断パラメータは、フィールド動作特性、事象、状況、故障、モード、および状態からなるグループから選択されている請求項１記載のシステム。
【請求項１３】
前記フィールド処理モジュールはアナログデジタル変換コンポーネントを含み、前記フィールド装置はアナログフォーマットでフィールド動作特性を生成し、前記フィールド処理モジュールはデジタルフォーマットでフィールド動作データを生成する請求項１記載のシステム。
【請求項１４】
前記フィールド処理モジュールはデータ圧縮コンポーネントを含み、前記フィールド処理モジュールはビットバスによって通信するためにフィールド動作データの少なくとも一部を圧縮するように構成されている請求項１記載のシステム。
【請求項１５】
前記データ圧縮コンポーネントは表マッピング、アルゴリズム、およびコード化の少なくとも１つを含んでいる請求項１４記載のシステム。
【請求項１６】
前記フィールド処理モジュールはデータ暗号化コンポーネントを含んでおり、前記フィールド処理モジュールはビットバスによって通信するためにフィールド動作データの少なくとも一部を暗号化するように構成されている請求項１記載のシステム。
【請求項１７】
フィールド動作データは複数の素数の積を含み、複数の素数の少なくとも１つはフィールド診断パラメータを表している請求項１記載のシステム。
【請求項１８】
前記フィールド通信コンポーネントはフィールド動作データがビットバスプロトコルにおけるビットバスと通信されるようにビットバス通信インターフェースを含んでいる請求項１記載のシステム。
【請求項１９】
前記フィールド処理モジュールはフィールド管理パラメータを生成し、そのフィールド管理パラメータをフィールド装置に通信するように構成され、前記フィールド装置は受信されたフィールド管理パラメータの関数としてフィールド動作特性を生成する請求項１記載のシステム。
【請求項２０】
前記フィールド管理パラメータは命令および問合せの少なくとも一方である請求項１９記載のシステム。
【請求項２１】
前記フィールド装置は第２のフィールド診断パラメータを記憶するフィールド装置メモリを含み、前記フィールド装置は第２のフィールド診断パラメータを前記フィールド処理モジュールに提供する請求項１記載のシステム。
【請求項２２】
前記フィールド処理モジュールは第１のフィールド処理モジュールであり、さらに第２のフィールド動作データを生成し、ビットバスと通信するように構成されている第２のフィールド処理モジュールを具備し、前記第２のフィールド処理モジュールは第２のフィールド動作データをビットバスによって第１のフィールド処理モジュールに通信する請求項１記載のシステム。
【請求項２３】
前記フィールド装置は第１のフィールド装置であり、前記フィールド処理モジュールは第１の処理モジュールであり、さらに、
第２のフィールド動作特性を生成するための第２のフィールド装置と、
ビットバスと通信し、第２のフィールド装置から第２のフィールド動作特性を受信し、第２のフィールド診断コンポーネントと第２のフィールド通信コンポーネントとを有する第２のフィールド処理モジュールとを具備し、
第２のフィールド処理モジュールは第２の管理パラメータと、第２のフィールド動作データと、第２のフィールド診断パラメータと、第２のフィールド動作特性との少なくとも１つを第１のフィールド処理モジュールへ通信するように構成されている請求項１記載のシステム。
【請求項２４】
前記フィールド装置は第１のフィールド装置であり、前記フィールド処理モジュールは第１の処理モジュールであり、さらに、
第２のフィールド動作特性を生成するための第２のフィールド装置と、
ビットバスと通信し、第２のフィールド装置から第２のフィールド動作特性を受信し、第２のフィールド診断コンポーネントと第２のフィールド通信コンポーネントを有し、第２のフィールド動作特性の関数として第２のフィールド診断パラメータを含む第２のフィールド動作データを生成するように構成されている第２のフィールド処理モジュールとを具備し、
前記補助フィールド処理モジュールは第２のフィールド動作データを受信するように構成され、前記補助フィールド処理モジュールは第１のフィールド動作データと第２のフィールド動作データの関数として管理データを生成する管理モジュールを含み、前記補助フィールド処理モジュールはフィールドバスによって管理データを通信するように構成されている請求項１記載のシステム。
【請求項２５】
前記フィールド装置は第１のフィールド装置であり、前記ビットバスは第１のビットバスであり、前記フィールド処理モジュールは第１の処理モジュールであり、さらに、
第２のフィールド動作特性を生成するための第２のフィールド装置と、
第２のフィールド装置から第２のフィールド動作特性を受信し、第２のフィールド診断コンポーネントと第２のフィールド通信コンポーネントを有し、第２のフィールド動作特性の関数として第２のフィールド診断パラメータを含む第２のフィールド動作データを生成するように構成されている第２のフィールド処理モジュールと、
第２のフィールド処理モジュールと通信するための第２のビットバスとを具備し、
前記補助フィールド処理モジュールは第２のビットバスおよび第１のビットバスと通信し、第２の管理パラメータ、第２のフィールド動作データ、第２のフィールド診断パラメータ、第２のフィールド動作特性、およびフィールド管理パラメータの少なくとも１つを第１のフィールド処理モジュールへ通信するように構成されている請求項１記載のシステム。
【請求項２６】
前記フィールド装置は第１のフィールド装置であり、さらに第２の動作特性を生成するための第２のフィールド装置を具備し、前記フィールド処理モジュールは第２の動作特性を受信するように構成され、受信された第２の動作特性を第１のフィールド装置へ通信するように構成されている請求項１記載のシステム。
【請求項２７】
ビットバス、フィールド通信コンポーネント、補助通信コンポーネントはそれぞれ、ハードワイヤ電気通信インターフェース、光学インターフェース、無線インターフェース、衛星インターフェースからなるグループからそれぞれ選択されている請求項１記載のシステム。
【請求項２８】
フィールド通信コンポーネントと補助通信コンポーネントはビットバスによってビットバスプロトコルと通信するように構成されている請求項１記載のシステム。
【請求項２９】
フィールド通信コンポーネントと補助通信コンポーネントはそれぞれビットバスモデムである請求項１記載のシステム。
【請求項３０】
ビットバス、フィールド通信コンポーネント、および補助通信コンポーネントは、それぞれＤａｌｌａｓ  Ｓｅｍｉｃｏｎｄｕｃｔｏｒ  ｏｎｅ−ｗｉｒｅプロトコル、Ｓｅｒｉｐｌｅｘ、センサバス、ＤｅｖｉｃｅＮｅｔバス、ＦＭＳ、Ｌｏｎ  Ｗｏｒｋｓ、Ｃａｒ  Ａｕｔｏｍｏｔｉｖｅ  Ｎｅｔｗｏｒｋ（ＣＡＮ）、インターバスＳ、ＳＤＬＣ、ＡＳ−インターフェース（ＡＳ−ｉ）、Ｌｏｃａｌ  Ｉｎｔｅｒｃｏｎｎｅｃｔバス（ＬＩＮ−バス）、ＩＥＥＥ−１１１８バスからなるグループから選択された通信インターフェースに適合可能に構成されている請求項１記載のシステム。
【請求項３１】
ビットバスは８ビット以下のフォーマットで通信するように構成され、フィールドバスは８ビットよりも大きいフォーマットで通信するように構成されている請求項１記載のシステム。
【請求項３２】
ビットバスは単一のワイヤ通信媒体として構成されている請求項１記載のシステム。
【請求項３３】
フィールドバスはＰｒｏｆｉｂｕｓ、ＩＥＥＥ  ８０２無線ネットワーク、イーサネット(登録商標）ＴＣＰ／ＩＰを含む企業通信バス、インターネット、トークンリングＬＡＮ、イーサネットＬＡＮ、ＦＤＤＩネットワーク、私設データネットワーク、ＩＳＤＮ、ＶＰＮからなるグループから選択されている請求項１記載のシステム。
【請求項３４】
前記補助処理モジュールは、少なくとも１つの補助パラメータを記憶するための補助メモリを含み、前記少なくとも１つの補助パラメータは少なくとも１つの補助診断パラメータを含んでいる請求項１記載のシステム。
【請求項３５】
前記補助診断コンポーネントはアルゴリズム、人工インテリジェンスモジュール、モデル化モジュール、マッピング、グラフィック解析、ルール、比較器、および検索表の少なくとも１つを含んでいる請求項１記載のシステム。
【請求項３６】
前記補助処理モジュールは、補助診断パラメータを含み、補助診断パラメータの関数として補助フィールドデータを生成するように構成されており、前記補助処理モジュールは補助診断パラメータを含み、補助フィールドデータは補助診断パラメータを含んでおり、前記補助処理モジュールは、動作診断、装置較正、システム管理、およびシステム動作からなるグループから選択された補助診断パラメータを含んでいる請求項１記載のシステム。
【請求項３７】
前記補助処理モジュールは、神経ネットワーク、実験的データ、数値データ、検索表、ファジー論理回路、神経ファジー回路、多項式アルゴリズム、残留寿命アルゴリズム、ウェイブレット、人工インテリジェンスモジュール、モデル化モジュール、統計機能からなるグループから選択されたアルゴリズムを含んでいる請求項１記載のシステム。
【請求項３８】
前記補助処理モジュールは第１の補助処理モジュールであり、さらに、
フィールドバスに結合され、管理命令を生成し、フィールドバスによって管理命令を第１の補助処理モジュールへ通信するように構成されている第２の補助処理モジュールを具備している請求項１記載のシステム。
【請求項３９】
前記フィールド装置は第１のフィールド装置であり、前記ビットバスは第１のビットバスであり、前記フィールド処理モジュールは第１の処理モジュールであり、前記補助処理モジュールは第１の補助処理モジュールであり、さらに、
第２のフィールド動作特性を生成するための第２のフィールド装置と、
第２のフィールド装置に結合され、第２のフィールド診断コンポーネントと第２のフィールド通信コンポーネントを含み、第２のフィールド装置から第２のフィールド動作特性を受信し、第２のフィールド動作特性の関数として第２のフィールド診断パラメータを含む第２のフィールド動作データを生成するように構成されている第２のフィールド処理モジュールと、
第２のフィールド処理モジュールと通信するように構成されている第２のビットバスと、
第２のビットバスと通信し、フィールドバスによって通信するための第２のフィールドバスインターフェースを有する第２の補助フィールド処理モジュールとを具備し、
前記第２のフィールド処理モジュールは第２のビットバスと、第２の補助処理モジュールと、フィールドバスと、第１の補助処理モジュールと、および第１のビットバスとを介して前記第１のフィールド処理モジュールと通信するように構成されている請求項１記載のシステム。
【請求項４０】
前記補助処理モジュールは、プロトコル変換器コンポーネントと、データ集信器コンポーネントと、暗号化コンポーネントと、管理コンポーネントと、フィールド間処理モジュール通信コンポーネントとの少なくとも１つを含んでいる請求項１記載のシステム。
【請求項４１】
さらに、電源から加熱電力を受取るために、第１のインターフェースと、第２のインターフェースと、第１のインターフェースと第２のインターフェースとの間の中間部分とを有する加熱電力回路に結合されているヒータと、
ヒータの電力回路の前記中間部分に結合され、電力の少なくとも一部をヒータに提供する第１の状態と、ヒータへの電力を終了する第２の状態との少なくとも２つの状態を有し、フィールド装置とフィールド処理モジュールを含んでいる電力制御装置とを具備している請求項１記載のシステム。